(57)【要約】      （修正有）【課題】インターネット塾等で使用し、先生側からリアルタイムに生徒側の手元の学習プリントなどの進行状況、正誤の状況でどわかり、指導、助言を行なえる機能を有するウェブカメラにおける反転支持具を提供する。【解決手段】ウェブカメラにおいて、カメラ本体１を上・下方向に反転させて、それぞれ一時固定するための固定部材２′を設ける。固定部材２′の上・下部に、それぞれウェブカメラ本体を一時固定するための差し込み溝と、固定部材２′の下部に、ウェブカメラ本体を一時固定する差し込み溝２ａ′を設ける。カメラ本体を収納する筒状部材４を枢支軸３を介して設け、筒状部材の周縁にはカメラ本体１を上・下方向に１８０°回動させた状態で、カメラ本体を一時固定ネジ２ｂ，２ｂ′で固定する。【選択図】図５
0003185358.tif 000002
【実用新案登録請求の範囲】
【請求項１】
ウェブカメラにおいて、該カメラ本体（１）を上・下方向に反転させて、それぞれ一時固定するための固定部材（２）（２′）を設けたことを特徴とするウェブカメラにおける反転支持具。
【請求項２】
固定部材（２）が、該固定部材（２）の上・下部に、それぞれウェブカメラ本体（１）を一時固定するための差し込み溝（２ｂ）（２ｂ′）を形成したものであることを特徴とする請求項１記載のウェブカメラにおける反転支持具。
【請求項３】
固定部材（２′）が、該固定部材（２）の下部に、ウェブカメラ本体（１）を一時固定する差し込み溝（２ａ′）を設けると共に、前記カメラ本体を収納する筒状部材（４）を枢支軸（３）を介して設け、該筒状部材の周縁にはカメラ本体（１）を上・下方向に１８０°回動させた状態で、カメラ本体を一時固定ネジ（２ｂ）（２ｂ′）を設けたことを特徴とする請求項１記載のウェブカメラにおける反転支持具。
【考案の詳細な説明】
【技術分野】
【０００１】
この考案は、ウェブカメラにおける反転支持具に関するものである。
【背景技術】
【０００２】  従来、インターネットを経由し、（公序良俗違反につき、不掲載）などに代表される当人と相手方との一対一、あるいは、複数での映像、通話が可能となるソフトが存在している。【０００３】
しかし、相手方の顔や相手方に位置する，吊り下げた、あるいは立てかけたホワイトボードなどを、カメラを通しての画面による表示は、そのまま理解が可能であるが、相手方の手元に位置し、相手方側に向けた状態の書き込み資料等については、カメラの角度を変更して撮影しても、その資料等は上下反転して撮影されており、当人にとっては判読が非常に難しいという問題があった。
【０００４】
現在、ネット塾は多々存在し、講義内容を配信するタイプの塾や、一対一の完全個別指導タイプなども現存する。
【０００５】
また、講義配信タイプの塾などは、複数の生徒を対象としているため、質問等はメール、チャットなどで受ける方式であり、キーボードを使用するため、小学生には難しいものとなっている。
【０００６】
他方、一対一の個別指導タイプにおいても音声とタブレット端末のような専用機と専用ペンでの文字のやり取りによるもの等が存在するあるが、専用ペンを使って問題点や図形などを書き込むことは、非常に煩雑となり、又、専用機そのものも高価なものとなっている。
【０００７】
なお、従来のウェブカメラには、該カメラに取り付けられたアームが水平方向に３６０°回転する機能を有するものは存在している。例えば、非特許文献１のように。
【先行技術文献】
【特許文献】
【０００８】
【非特許文献１】「Ｗｅｂカメラのチラシ２０１１」、日本マイクロソフト株式会社、２０１１年〕
【０００９】
しかし、このような構造を有するウェブカメラでは、相手方側に向けた状態の書き込み資料等を判読することは非常に困難であった。
【考案の概要】
【考案が解決しようとする課題】
【００１０】
そこでこの考案は、パソコンを使用するインターネット塾等で、低学年から使用でき、当人（先生側）からリアルタイムに相手方（生徒）の手元の学習プリントなどの進行状況、正誤の状況でどわかり、指導、助言を行なえる機能を有するウェブカメラを開発・提供しようとするものである。
【００１１】
特に、「インターネット塾」において、ウェブカメラを使用して授業をする場合には、大変便利なウェブカメラにおける反転支持具である。
【課題を解決するための手段】
【００１２】
この考案である課題を解決するための手段は、パソコンのディスプレーの上縁部に装着するウェブカメラに支持具を設け、該支持具にウェブカメラを上・下方向を反転（逆に）して差し込み機能を設け、一時固定する固定部材を設けるか、あるいはウェブカメラを１８０度回動させて、一時固定する機能を持たせた固定部材を設けるものである。
【考案の効果】
【００１３】
この考案によると、相手方（生徒）のパソコンのディスプレー上部に設置したウェブカメラを反転して一時固定することにより、あるいは、ウェブカメラを１８０°回動させて一時固定することにより、相手方に位置し、相手方に向けた手元の資料、書き込みが、ウェブカメラを通じて手前方向に映るため判読が簡単である等のすぐれた効果を奏する。
【００１４】
さらに、この考案によると、既存のスカイプなどのソフトと併用することで、専用機、専用ソフトなど使用せずとも安価にリアルタイムの指導が可能となる等の極めて有益なる効果を奏するものである。
【図面の簡単な説明】
【００１５】
【図１】この考案の一実施例を示し、（Ａ）は、平面図であり、（Ｂ）は、正面図である。
【図２】この考案の一実施例の使用状態を示す説明図である。
【図３】この考案の使用状態を示す説明図である。
【図４】この考案の使用状態を示し、（Ａ）は、通常の使用状態を示す説明図であり、（Ｂ）は、ウェブカメラで授業中の使用状態を示す説明図であり、（Ｃ）は、プリント等の確認するため、ウェブカメラを反転して使用する状態の説明図である。
【図５】この考案の他の実施例を示し、（Ａ）は、正面図であり、（Ｂ）は、右側面図である。
【考案を実施するための形態】
【００１６】
以下、この考案について詳細に説明する。尚、この考案においては、下記の記述に限定されるものではなく、この考案の要旨を逸脱しない範囲においては適宜変更可能である。
【実施例】
【００１７】
この考案の一実施例を図１（Ａ）（Ｂ），図２，図３に基づいて詳述すると、パソコン（Ｘ）のディスプレー（Ｙ）に設けるウェブカメラにおいて、該カメラ本体（１）を上・下方向に反転させ、それぞれ一時固定する固定部材（２）を設けたことを特徴とするウェブカメラにおける反転支持具から構成されるものである。
【００１８】
そして、上記固定部材（２）は、その一例として、ウェブカメラ本体（１）を固定するための固定部材（２）の上・下部に、それぞれ差し込み溝（２ａ）（２ａ′）を形成し、これら差し込み溝にはパソコン（Ｘ）のディスプレー（Ｙ）の枠体（Ｚ）の上縁部に差し込み、一時固定するよう構成されている。
【００１９】
そして、使用にあたっては、図３に示すように、相手方（生徒）〔オペレーターと表示する〕が、机上にパソコン（Ｘ）を載置し、該パソコンのディスプレー（Ｙ）を開き、該ディスプレーの枠体（Ｚ）の上縁に、差し込み溝（２ａ′）を差し込み使用するものであり、当人（先生側）は、該差し込み溝（２ａ′）に差し込まれたウェブカメラ本体（１）を通じて相手方の顔を映像で確認し、授業等を行なうものである。
【００２０】
一般的にはスカイプなどのソフトを起動して図４（Ａ）に示すように使用するものであるが、この考案の使用状態の一例としては、図４（Ｂ）に示すように、パソコン（Ｘ）を斜めに設け、該パソコンのディスプレー（Ｙ）の上縁部の枠体（Ｚ）に、前記固定部材（２）の差し込み溝（２ａ′）を差し込み、当人（先生）、相手方（生徒）ともお互いの顔を見ながら授業を受けたり、内容の確認を行なうために使用するものである。（図面に示す人は相手方である。）
【００２１】
次に、プリントや問題集などを行なう場合には、図４（Ｃ）に示すように、ウェブカメラ本体（１）を反転させ、固定部材（２）の他の差し込み溝（２ａ）に差替えて、一時固定し、下方向に、カメラ本体（１）を向け、プリント等が映る状態となるようセットし、先生からの指導、助言を受けながら学習を行なうものである。
【００２２】
このように、先生からは、進行状況が確認でき、リアルタイムに指導でき、生徒からは生成からの音声と画面からの指導を受けることができるものである。
【００２３】
また、この考案の他の実施例を図５に基づいて詳述すると、ウェブカメラにおいて、該カメラ本体（１）を、一時固定する固定部材（２′）を設け、該固定部材には下部に差し込み溝（２ａ′）を設けると共に、前記カメラ本体を収納する筒状部材（４）を枢支軸（３）を介して設け、該筒状部材の周縁にはカメラ本体（１）を上・下方向に１８０°回動させた状態で、カメラ本体を一時固定ネジ（２ｂ）（２ｂ′）を設けたことを特徴とするウェブカメラにおける反転支持具から構成される。
【００２４】
そして、この考案の具体的な構成を述べると、ウェブカメラ本体（１）を一時固定する固定部材（２′）の差し込み溝（２ａ′）を、パソコン（Ｘ）のディスプレー（Ｙ）の枠体（Ｚ）の上縁部に差し込み、一時固定し、次に、前記固定部材（２）に設けた筒状部材（４）の内部に位置するカメラ本体（１）を、必要に応じて上・下方向に１８０度回動させた状態でカメラ本体（１）を一時固定ネジ（２ｂ）（２ｂ′）で一時固定して使用するものである。
【００２５】
尚、この考案の反転支持具は、ウェブカメラ本体（１）に一体に形成されていても、別体で、各実施例に示した反転支持具にウェブカメラ本体（１）を取り付けたものであってもよい。
【産業上の利用可能性】
【００２６】
この考案によると、ウェブカメラにおける反転支持具の技術を確立し、実施・販売することにより産業上の利用可能性がある。
【符号の説明】
【００２７】
１  ウェブカメラ
２，２′  固定部材
２ａ，２ａ′差し込み溝
２ｂ，２ｂ′一時固定ネジ
３  枢支軸
４  筒状部材
Ｘ  パソコン
Ｙ  ディスプレー
Ｚ  ディスプレーの枠体
【図１】
0003185358.tif 000003
【図２】
0003185358.tif 000004
【図３】
0003185358.tif 000005
【図４】
0003185358.tif 000006
【図５】
0003185358.tif 000007
【手続補正書】
【提出日】平成25年6月10日(2013.6.10)
【手続補正１】
【補正対象書類名】実用新案登録請求の範囲
【補正対象項目名】全文
【補正方法】変更
【補正の内容】
【実用新案登録請求の範囲】
【請求項１】
ウェブカメラにおいて、該カメラ本体（１）を軸支する枢支軸（３）を設けると共に、パソコン（Ｘ）のディスプレー（Ｙ）の枠体（Ｚ）に差し込み、一時固定する，１又は複数の差し込み溝（２ａ′）を有する固定部材（２）（２′）を設けたことを特徴とするウェブカメラにおける反転支持具。
【請求項２】
固定部材（２）の一端に設けた差し込み溝（２ａ′）と、該固定部材（２）の他端に、さらに差し込み溝（２ａ）を設けたことを特徴とする請求項１記載のウェブカメラにおける反転支持具。
【請求項３】
固定部材（２′）が、該固定部材（２′）の下部に、ウェブカメラ本体（１）を一時固定する差し込み溝（２ａ′）を設けると共に、前記カメラ本体を収納する筒状部材（４）を枢支軸（３）を介して設け、該筒状部材の周縁にはカメラ本体（１）を上・下方向に１８０°回動させて、カメラ本体（１）を、一時固定する固定ネジ（２ｂ）（２ｂ′）を設けたことを特徴とするウェブカメラにおける反転支持具。
【手続補正２】
【補正対象書類名】明細書
【補正対象項目名】０００２
【補正方法】変更
【補正の内容】
【０００２】
従来、インターネットを経由し、Ｐ２Ｐ技術を利用したインターネット電話サービスなどに代表される当人と相手方との一対一、あるいは、複数での映像、通話が可能となるソフトが存在している。